(57)【特許請求の範囲】
【請求項１】
航空機のパイロン（９）にターボジェットエンジンを取り付けるための平衡サスペンションであって、ターボジェットエンジンが、フロントファン（２）と、放射アーム（３６）によって相互接続された外側シェル（３４）及びハブ（３５）を有するファンの下流の中間ケーシング（３）と、同一軸ＸＸ上に外側シェル（８３）を有する排気ケーシング（８）とを備え、サスペンションが、中間ケーシング上の前側取り付け具（１０、２１０）と、排気ケーシング（８）の外側シェル（８３）に接続された少なくとも２つの後側取り付けリンク（１１４、１１５、３１４、３１５）を有する後側取り付け具（１１、３１１）と、それらの上流端部において中間ケーシング（３）のハブ（３５）に固定された一対のスラストバー（１２、１２’、２１２、２１２’、３１２、３１２’）とを備え、後側取り付け具（１１、３１１）の２つのリンク（１１４、１１５、３１４、３１５）によって形成される面が、排気ケーシング（８）の面に対して傾斜していることを特徴とする、サスペンション。
【請求項２】
後側取り付け具が、交差部材（１１１、３１２）を備え、２つの後側取り付けリンク（１１４、１１５、３１４、３１５）が、部材の端部を排気ケーシングの外側シェル（８３）に接続している、請求項１に記載のサスペンション。
【請求項３】
後側取り付け具（１１、３１１）が、軸ＸＸに沿ったトルクＭｘを受けるリンクを備え、このリンクが、２つの後側取り付けリンクの間に位置している、請求項２に記載のサスペンション。
【請求項４】
２つの後側取り付けリンク（１１４、１１５、３１４、３１５）が、ラグが排気ケーシングの面に対して傾斜している面内にあるＵ字型金具継ぎ手によって排気ケーシングに接続されている、請求項２及び３に記載のサスペンション。
【請求項５】
２つの後側取り付けリンクによって形成される前記面が、エンジンの重心の近傍においてターボジェットエンジンの軸を切断している、請求項１から４のいずれか一項に記載のサスペンション。
【請求項６】
２つのスラストバー（１２、１２’）が、それらの下流端部において前記交差部材（１１１）に固定されている、請求項２から５のいずれか一項に記載のサスペンション。
【請求項７】
２つのスラストバー（１２、１２’）が、揺動レバー（２１０）によって後側取り付け具に接続されている、請求項６に記載のサスペンション。
【請求項８】
スラストバー（３１２、３１２’）の下流端部が、パイロン（９）に接続されている、請求項１から７のいずれか一項に記載のサスペンション。
【請求項９】
スラストバー（３１２、３１２’）及び後側サスペンションリンク（３１４、３１５）が、集合点（Ｃ）においてエンジン軸上に又はエンジン軸の近傍に集中している、請求項８に記載のサスペンション。
【請求項１０】
集合点（Ｃ）が、エンジン軸ＸＸの高さよりも上であり且つこの軸からファンの直径の１／４よりも短い距離に位置している、請求項９に記載のサスペンション。
【請求項１１】
２つのスラストバー（２１２、２１２’）が、それらの下流端部において前側取り付け具（２１０）によってパイロンに固定されている、請求項１に記載のサスペンション。
【請求項１２】
前側取り付け具（２１０）が、中間ケーシングのハブ（３５）に接続されている、請求項１１に記載のサスペンション。
【請求項１３】
スラストバー（２１２、２１２’）の面及び２つの後側取り付けリンク（１１４、１１５）の面が、集合点（Ｃ）においてエンジン軸上に又はエンジン軸の近傍に集中している、請求項１１又は１２に記載のサスペンション。
【請求項１４】
集合点（Ｃ）が、エンジン軸ＸＸの高さよりも上であり且つこの軸からファンの直径の１／４よりも短い距離に位置している、請求項１３に記載のサスペンション。
【請求項１５】
前側取り付け具（１０）が、交差部材と、部材を中間ケーシングのシェルに接続している２つの前側取り付けリンクとを備える、請求項１から１０のいずれか一項に記載のサスペンション。
【請求項１６】
前側取り付け具（１０）が、軸ＸＸに沿ったトルクＭｘを受けるリンクを備え、このリンクが、２つの前側取り付けリンクの間に位置している、請求項１５に記載のサスペンション。
【請求項１７】
前側取り付け具が、ブーメラン型リンクを用いて軸ＸＸに沿ったエンジントルクＭｘを受けるシステムを有する、請求項１５及び１６に記載のサスペンション。
【請求項１８】
請求項１から１７のいずれか一項に記載のサスペンションを有することを特徴とする、航空機用のターボジェットエンジン。
【発明の詳細な説明】
【技術分野】
【０００１】
本発明は、ターボジェットエンジンの分野に関し、特に、フロントファンを有するターボジェットエンジン、及びそれらの航空機への取り付けに関する。
【背景技術】
【０００２】
フロントファンターボジェットエンジンは、空気吸入ダクトが取り付けられたケーシング内に収容された大径のファンロータを備える。ケーシングは、下流において、小径を有する一次流れケーシングによって延在しており、コンプレッサ、燃焼チャンバ、タービン、及び、排気用の様々なケーシングから構成されている。空気吸入ダクトを介して流入する空気は、ファンロータを通して圧縮された後、２つの同心円筒状流れに分割される。知られているタイプのエンジンにおいて、流入空気は、一次流れと二次流れとに分割される。後者は、エンジン周囲を通過し、低温状態で、分離流として排出されるか、タービン段の下流の一次流れと混合された後に排出される。一次流れは、燃焼チャンバ内で高温ガスを生成するために、燃料と混合される前にさらなる圧縮を受ける。高温ガスは、エンジン軸まわりにファンを回転させ且つ空気圧縮段もまた回転させる一連のタービン段に供給される。次いで、一次流れは、スラストの一部を供給するように排出される。スラストの大部分は、二次流れによって生み出される。二次流れと一次流れとの間の流量比は、バイパス比と称される。エンジンのパワーが増加すると、ファンケーシングと一次流れケーシングとの間の直径比が大きい高バイパス比を有するエンジンを設計することが必要となる。本発明は、複数流れエンジン及びバイパスエンジンに関する。
【０００３】
従来の取り付け方法において、エンジンは、パイロンを用いて、翼の上もしくは下において航空機又は機体に固定される。パイロンは、エンジンと航空機構造体との間において、３方向、すなわち、軸方向、横方向、及び垂直方向に力を伝達する剛性のある細長い箱構造体の形態をとる。軸は、エンジンの軸と同一である。パイロンに対するエンジンの載架は、２つの垂直面内でなされる。第１の前側面は、中間ケーシングを通過し、後側面は、排気ケーシングを通過する。これら２つのケーシングは、例えば前側及び後側ベアリングのそれぞれを支持するエンジンの構造要素である。前側面に関して、２つの異なる取り付け方法が民間機において現在使用されており、第１の方法においては、中間ケーシングの外側シェルが使用され、他方の方法においては、このケーシングのハブが使用されている。
【０００４】
前側の取り付け方法に関して、取り付けは、本発明の第１の実施形態においては中間ケーシングの外側シェルに対して行われる一方で、第２の実施形態においてはハブに対して行われる。
【０００５】
平衡サスペンションの場合、力は、パイロンにエンジンを接続し且つ引っ張り又は圧縮のみにおいて作動するようにスイベルジョイントタイプの接続によって取り付けられているバー、リンク又は等価部品によって伝達される。配置は、３方向における力、すなわち、軸方向Ｆｘ、垂直方向Ｆｚ、及び横方向Ｆｙを、これら３方向におけるトルク、すなわち、それぞれＭｘ、Ｍｙ、及びＭｚとともに伝達するように設計されている。パイロンと中間ケーシングと排気ケーシングとの間の取り付けに加え、サスペンションはまた、ピラミッド構造体として知られているものを用いて、中間ケーシングのハブを後側取り付け具又はパイロンに接続するスラストバーを備える。
【先行技術文献】
【特許文献】
【０００６】
【特許文献１】欧州特許出願公開第１４９３６６３号明細書
【発明の概要】
【発明が解決しようとする課題】
【０００７】
エンジンの取り付けに関連する問題は、一方では、バー及びＵ字型金具取り付け点の小領域によって生じる点力の伝達に起因するものを含むケーシングの歪みであり、他方では、エンジンの軸に沿ったスラストベクトルに関するパイロンにおけるスラスト伝達のオフセットに起因する問題である。２つの力によって形成されたトルクは、その軸に沿ったエンジンの屈曲を引き起こし、固定部分と回転部分との間の間隙を変え、これにより、性能レベル及び燃料効率を低下させる。摩擦による部品の摩耗及びエンジンの耐用年数の低減もまたもたらす。本現象は、高バイパス比及びファンケーシングと一次流れケーシングとの間のより大きな直径比を有するエンジンにおいて、さらに顕著であり、変形の範囲がより大きい。
【課題を解決するための手段】
【０００８】
したがって、本発明は、フレームの局所的な歪みを低減することができる手段を用いて、パイロンにフロントファンターボジェットエンジンを取り付けるための平衡サスペンションを提案する。
【０００９】
この目的は、航空機パイロンにターボジェットエンジンを取り付けるための平衡サスペンションを用いて達成される。ターボジェットエンジンは、フロントファンと、放射アームによって相互接続された外側シェル及びハブを有するファンの下流の中間ケーシングと、同一軸ＸＸ上に外側シェルを有する排気ケーシングとを備え、サスペンションは、中間ケーシング上の前側取り付け具と、排気ケーシングの外側シェルに接続された少なくとも２つの後側取り付けリンクを有する後側取り付け具と、それらの上流端部において中間ケーシングのハブに固定された一対のスラストバーとを備え、後側取り付け具の上記２つのリンクによって形成される面は、排気ケーシングの面に対して傾斜していることを特徴としている。
【００１０】
これらのリンクの傾斜は、エンジンの前側ケーシングにおける力及び歪みを低減することができ、これにより、大径ケーシングの質量及び挙動を最適化することができる。
【００１１】
この特徴に関して異なる実施形態が考案され得る。以下の特徴は、個別に又は組み合わせで存在し得る。
【００１２】
後側取り付け具は、交差部材を備え、２つの後側取り付けリンクは、交差部材の端部を排気ケーシングの外側シェルに接続している。
【００１３】
後側取り付け具は、軸ＸＸに沿ったトルクＭｘを受けるリンクを備え、このリンクは、２つの後側取り付けリンクの間に位置している。
【００１４】
２つの後側取り付けリンクは、ラグが排気ケーシングの面に対して傾斜している面内にあるＵ字型金具継ぎ手によって排気ケーシングに接続されている。
【００１５】
２つの後側取り付けリンクによって形成される上記面は、エンジンの重心の近傍においてターボジェットエンジンの軸を切断している。この配置は、重心が後端部により近く位置しているエンジンについて特に有利である。
【００１６】
２つのスラストバーは、それらの下流端部において上記後側取り付け具の交差部材に固定されている。より具体的には、２つのスラストバーは、揺動レバーによって後側取り付け具に接続されている。
【００１７】
他のタイプの構造において、２つのスラストバーは、それらの下流端部において上記箱構造体に固定されており、より具体的には、箱構造体への取り付け具のためのピラミッド構造体に固定されている。
【００１８】
より具体的には、スラストバーの面及び後側取り付けリンクの面は、エンジン軸上に集中している。
【００１９】
スラストバーの面及び後側取り付けリンクの面は、集合点でエンジン軸の近傍に集中している。この場合、集合点は、エンジン軸ＸＸの高さよりも上であり且つこの軸からファンの直径の１／４よりも短い距離に位置しているのが好ましい。
【００２０】
前側取り付け具は、交差部材と、部材を中間ケーシングの外側シェルに接続している２つの前側取り付けリンクとを備える。
【００２１】
前側取り付け具は、２つの前側取り付けリンクの間において軸ＸＸに沿ったトルクＭｘを受けるリンクを備える。
【００２２】
前側取り付け具は、ブーメラン型バーによって軸ＸＸに沿ったエンジントルクＭｘを受けるシステムを含む。
【００２３】
この配置は、エンジンの前側面におけるより小さい歪みを引き起こすサスペンションシステムを形成する。
【００２４】
したがって、本発明に係る解決策は、ケーシングにおける歪みの不在又は少なくとも低減による利点を有する。推進手段アセンブリの質量は、例えば非常に小さい大きさの力を受ける前側取り付け具の質量が低減することの結果として低減され得る。以上に説明されたように、歪みの低減は、燃料効率の改善をもたらす。
【００２５】
用語「集合点」は、軸上の厳格な集中に限定されるように解釈されるべきではない。この点の位置は、エンジンの重量又はダクトにおける空気力学的な力等の他の負荷に応じて、エンジン軸に対してある垂直な距離にわたって変化し得る。
【００２６】
トルクリンクは、欧州特許出願公開第１４９３６６３号明細書のもとに本出願人によって出願された特許出願において記載されている、ブーメランリンクとして知られているタイプから構成され得る。
【００２７】
好ましくは、サスペンションは、それらの下流端部において揺動レバーによって後側取り付け具に接続された、もしくは、パイロンに直接接続された、又は、ハブタイプの取り付け具の場合には前側サスペンション梁に接続された、２つのスラストバーを備える。
【００２８】
本発明は、添付された図面を参照しながら、任意の他の特徴及び利点の指示をともなって、ここにより詳細に説明されるであろう。
【図面の簡単な説明】
【００２９】
【図１】後側取り付けリンクの面が排気ケーシングの面に対して傾斜している面における、本発明の実施形態に係るパイロンに取り付けられたターボジェットエンジンの側面図である。
【図２】斜め後方背面図において、等尺斜視における図１のエンジンの前側サスペンションを示している。
【図３】斜め前方正面図において、等尺斜視における図１のエンジンの前側サスペンションを示している。
【図４】エンジン軸上の点に後側取り付けリンクの面及びスラストバーの面が集中している、本発明の他の実施形態に係るパイロンに取り付けられたターボジェットエンジンの側面図である。
【図５】図４において示されるエンジンの前側取り付け具を示している。
【図６】エンジン軸上の点に後側取り付けリンクの面及びパイロンに固定されたスラストバーの面が集中している、本発明の他の実施形態に係るパイロンに取り付けられたターボジェットエンジンの側面図である。
【図７】図６の実施形態におけるパイロンに対するスラストバーの取り付け具の詳細を示している。
【発明を実施するための形態】
【００３０】
図１において示されるように、ターボジェットエンジン１は、ターボファンタイプのものであり、そのファンケーシングは、符号２で示されている。ケーシング２の下流において、外側シェル３４のみが現れている中間ケーシング３がある。空気が流入する上流端部は、図１における右側にある。
【００３１】
圧縮部のケーシング４は、下流位置に現れている。この部分は、環状タイプの燃焼チャンバ５と通じている。タービン段７は、燃焼チャンバの下流に位置している。エンジンの端部において、後側ベアリングを支持する構造部品から構成された知られているタイプの排気ケーシング８がある。力及びモーメントの軸及び成分が方向付けられるところによる座標系は、エンジン軸ＸＸに平行な軸Ｏｘを備え、軸ＸＸは、水平であり且つ上流から下流端部へと延在していると想定される。軸Ｏｚは、縦軸であり、軸Ｏｙは、横軸である。
【００３２】
エンジンは、知られている方法で、パイロン９を用いて翼又は機体といった航空機の構造体に固定されている。パイロンの一般的な形状は、剛性のある平行六面体の箱構造体のものである。それは、エンジンと構造体との間の任意の力を伝達する。
【００３３】
エンジンを固定してエンジンとパイロンとの間の力を伝達する部品又は部材の組であるサスペンションは、中間ケーシング３の外側シェル３４とパイロン９との間の前側取り付け具１０と、排気ケーシング８の外側シェル８３とパイロンとの間の後側取り付け具１１とを備える。スラストは、それらの下流端部において揺動レバーによって相互接続されることができる２つのバー１２、１２’を用いて受けられ又は伝達される。
【００３４】
３つの要素は、図２及び図３においてより詳細に示されている。
【００３５】
前側取り付け具１０は、図において示されていないボルト等のパイロン９に固定するための手段を用いてその上面が設けられている部材１０１を備える。部材は、軸ＸＸに対して横方向に置かれている。それは、それぞれ符号１０２、１０３である２つの末端Ｕ字型金具を備え、２つのリンク１０４、１０５が枢動される。これらのリンクの反対側の端部は、中間ケーシング３の外側シェル３４に固定された２つのＵ字型金具３１、３２に取り付けられている。リンクは、知られている方法で、スイベルジョイントを用いてＵ字型金具に取り付けられている。シャフトは、Ｕ字型金具の２つのラグを通過し、球状表面を有するリングに嵌合されている。リンクはまた、シャフトのリングの表面に相補的な球状表面を有するリングに嵌合されている。したがって、リンクは、３つの直交方向に関して自由であり、その軸に沿った張力又は圧縮力のみを伝達する。
【００３６】
前側サスペンションの２つのリンク１０４、１０５の組は、力Ｆｙ、Ｆｚが方向Ｏｙ、Ｏｚにおいて前側取り付け具に伝達されるのを可能とする。
【００３７】
サスペンションは、２つの第１のリンク１０４、１０５の間に取り付けられ且つ先の２つのリンクと同じ方法で２つのＵ字型金具間に取り付けられたトルク受けリンクを備えることができる。この配置は、トルクＭｘが受けられるのを可能とするであろう。
【００３８】
この例において、後側取り付け具１１は、図において示されていないボルト等のパイロン９に固定するための手段を用いて設けられている交差部材１１１を備える。部材は、２つの後側取り付けリンク１１４、１１５が取り付けられた２つの末端Ｕ字型金具１１２、１１３を備える。これらのリンクの反対側の端部は、排気ケーシング８の外側シェル８３に固定された２つのＵ字型金具８１、８２に取り付けられている。後側取り付けリンクは、前側取り付け具の場合のように、スイベルジョイントを用いてＵ字型金具に取り付けられている。トルクＭｘが前側サスペンションによって受けられるか否かに応じて、２つのリンク１１４、１１５の間に補助的なトルク受けリンクが配置され得る。
【００３９】
最後に、サスペンションは、２つのスラストバー１２、１２’を備える。これらの２つのバーは、図２において示されるように、それらの上流端部において、軸ＸＸを通過する垂直面に対して対称である２つの点で中間ケーシング３のハブ３５に固定されている。この例において、バーは、それらの下流端部において、横バー１２１の２つの端部に取り付けられている。この場合においても、接続は、Ｕ字型金具及びスイベルタイプのものである。横バー１２１は、その中央において枢動ジョイントによって部材１１１に接続された揺動レバー１２０を形成する。知られているタイプの揺動レバーの取り付け具は、２つのバー１２、１２’の間の力の平衡を保つのを可能とし、スラストを軸方向に伝達するのを可能とする。図示された例において、揺動レバーは、２つの予備の横方向取り付け具を備えている。
【００４０】
したがって、この取り付け具は、平衡である。
【００４１】
本発明によれば、２つの後側取り付けリンク１１４、１１５によって形成される面は、排気ケーシング８の面に対して上流方向に傾斜している。軸ＸＸを含むその交差点Ｃは、排気ケーシング８の面と軸ＸＸを含むバー１２の面の交差点との間に位置している。この目的のために、リンク１１４、１１５は、後側取り付け具１１を通過する垂直面（Ｏｚ、Ｏｙ）に対して傾斜している。
【００４２】
この配置のために、前側取り付け具の面（Ｏｚ、Ｏｙ）内の合力は小さい。これは、中間ケーシングの変形によって引き起こされたフレームの歪みを低減させる。
【００４３】
本発明の他の特徴によれば、排気ケーシングの外側シェル８３上のＵ字型金具８１、８２は、垂直に対して傾斜しており、ラグは、リンク１１４、１１５の軸の延長上にある。ラグは、面（Ｏｘ、Ｏｚ）に対して垂直であり且つ面（Ｏｙ、Ｏｚ）に対して傾斜している面内に位置している。
【００４４】
本発明の他の実施形態において、図４及び図５において示されるように、前側サスペンションは、ハブに対する取り付け具を有するタイプのものであり、この取り付け具は知られている。図５において詳細に示される前側取り付け具２１０は、箱構造体９へと延在しているピラミッド構造体９１に固定されたプレート９２にボルトによって固定されたプレート２１１を備える。プレートは、スラストリンク２１２、２１２’によって、また、突起２１３によってハブに取り付けられている。
【００４５】
バー２１２、２１２’は、それらの上流端部において、Ｕ字型金具及びスイベル接続によってハブ３５に固定されており、それらの下流端部において、プレート２１１上に形成されたＵ字型金具に固定されている。２つのバーは、エンジン軸を通過する垂直面の各側上に１つずつ配置されている。中間ケーシング３を通過する面（Ｏｙ、Ｏｚ）内の力は、軸方向に向けられ且つ方向Ｏｙ、Ｏｚにおける力のみを伝達するスイベルによってハブに接続されている、プレート２１１に固定されたシャフトである突起２１３によって受けられる。
【００４６】
本発明によれば、後側取り付けリンク１１５、１１４の面は、上流方向に傾斜しており、この実施形態においては、点Ｃにおいてスラストバー２１２、２１２’の面に集中している。点Ｃは、軸上にあるのが好ましいが、そこからわずかに離隔されてもよい。
【００４７】
好ましくは、集合点は、重心の近傍に位置している。特に、この配置は、後方に移動された重心を有する推進システムに有効である。
【００４８】
この集中のために、サスペンションシステムは、エンジン軸ＸＸ上で受けられないスラストが中間ケーシングのアームのいかなる変形をも生じさせないように形成される。エンジン軸ＸＸを含む対称の垂直面を参照して集合点における全体のモーメントを算出することができる。集合点の性質のために、後側リンク、スラストバー、及びスラスト自体は、ゼロのレバーアームモーメントに影響を及ぼす。集合点に対するそのレバーアームが非ゼロであることから、モーメントに影響を及ぼす可能性がある力のみが、前側サスペンションの面内の力である。しかしながら、エンジンは、平衡を保たれ、したがって、全体のモーメントは、ゼロに等しい。したがって、前側サスペンションの面内の力はゼロであり、前側ケーシングは、ほんの小さな変形しか被らない。
【００４９】
したがって、本発明に係る解決策は、ケーシングにおける歪みの不在又は少なくとも低減による利点を有する。推進手段アセンブリの質量は、例えば非常に小さい大きさの力を受ける後側取り付け具の質量が低減することの結果として低減され得る。以上に説明されたように、歪みの低減は、燃料効率の改善をもたらす。
【００５０】
用語「集合点」は、軸上の厳格な集中に限定されるように解釈されるべきではない。この点の位置は、エンジンの重量又はダクトにおける空気力学的な力等の他の負荷に応じて、エンジン軸に対してある垂直な距離にわたって変化し得る。この垂直距離は、エンジンファンの吸入直径の１／４よりも短い。この場合、全体のモーメントは、非ゼロであるが、ゼロに近い。
【００５１】
図６において示される変形例において、サスペンションは、ファンケーシングに対する前側取り付け具を有するタイプのものであり、スラストバーの下流端部は、揺動レバーによって箱構造体に直接接続されている。
【００５２】
エンジンは、中間ケーシング３の外側シェル３４上の前側取り付け具１０によってパイロン９に取り付けられている。これは、図２の変形例のものと同じ種類の取り付け具である。
【００５３】
後側取り付け具３１１は、排気ケーシングの外側シェル８３をパイロンに接続している。それは、パイロンに固定された交差部材３１２と、外側シェル８３に固定されたＵ字型金具の間に２つのリンク３１４、３１５を備える。他の実施形態におけるもののように、リンク３１４、３１５は、排気ケーシングを通過する面（Ｏｚ、Ｏｙ）に対して傾斜している同一面内にそれらがあるように取り付けられている。有利には、外側シェル８３に対する接続のためのＵ字型金具もまた、リンク３１４、３１５と同一角度で傾斜している。
【００５４】
２つのスラストバー３１２、３１２’は、中間ケーシング３のハブをパイロン９に接続している。ハブ３５に対するこれらのバーの上流側取り付け具は、バー１２、１２’について図２において示されたものと同一である。２つのバーの下流端部は、揺動レバー３２０を用いてパイロン９に固定されている。揺動レバーは、図７において示されている。
【００５５】
２つのバー３１２、３１２’は、それぞれ、スイベルジョイント３２２ａ、３２２ｂにより、部材３２１に固定されたラグ上のピボットによって取り付けられている横揺動レバー３２２に取り付けられている。ジョイントは示されていないが、図面をより明確にするために、それらを収容する開口のみが図示されている。予備ジョイントもまたこの例において設けられているが、それらは、本発明によって提案されるものではない。部材３２１は、パイロンに直接ボルト締めされている。この配置のために、一方では後側取り付け具のリンク３１４、３１５上の力の方向、他方ではスラストバー３１２、３１２’上の力の方向は、集中させられ得る。これらの方向は、エンジン軸上の又は少なくともエンジン軸の近傍における点Ｃにおいて集中している。
【符号の説明】
【００５６】
１  ターボジェットエンジン
２  ファンケーシング
３  中間ケーシング
４  圧縮部のケーシング
５  燃焼チャンバ
７  タービン段
８  排気ケーシング
９  パイロン
１０、２１０  前側取り付け具
１１、３１１  後側取り付け具
１２、１２’、２１２、２１２’、３１２、３１２’  スラストバー
３１、３２、８１、８２、１０２、１０３、１１２、１１３  Ｕ字型金具
３４、８３  外側シェル
３５  ハブ
９１  ピラミッド構造体
９２、２１１  プレート
１０１、３２１  部材
１０４、１０５、３１４、３１５  リンク
１１１、３１２  交差部材
１１４、１１５  後側取り付けリンク
１２０、３２０  揺動レバー
１２１  横バー
２１３  突起
３２２  横揺動レバー
３２２ａ、３２２ｂ  スイベルジョイント
Ｃ  集合点
Ｆｘ、Ｆｙ、Ｆｚ  力
Ｍｘ  トルク
Ｏｘ、Ｏｙ、Ｏｚ  軸
ＸＸ  エンジン軸
【図１】
0005438306.tif 000002
【図２】
0005438306.tif 000003
【図３】
0005438306.tif 000004
【図４】
0005438306.tif 000005
【図５】
0005438306.tif 000006
【図６】
0005438306.tif 000007
【図７】
0005438306.tif 000008